(57)【要約】【課題】浴槽本体の外面に直貼りする保温用の断熱シートの断面構造に改良を加え、浴槽本体からの熱線をも確実に遮断でき、断熱シートの保温性能、低コスト化、耐久性、貼り付け作業の容易性に優れる保温浴槽を提供する。【解決手段】浴槽本体１の外面に保温用の断熱シート２が配された保温浴槽において、断熱シート２が、浴槽本体１に直貼りされる合成樹脂製の発泡体による断熱材層４と、断熱材層４の表面に積層されて、浴槽本体１からの熱線を反射するアルミ箔による反射層５と、反射層５の表面に積層されて、反射層５を保護する合成樹脂フィルムによる保護層６とを含む。平板状に形成された多数枚の断熱シート２が、浴槽本体１の外面に隙間なく突き合わせた状態で貼り付けられている。【選択図】図３
0003116669.tif 000002
【実用新案登録請求の範囲】
【請求項１】
浴槽本体（１）の外面に、保温用の断熱シート（２）が配された保温浴槽において、
断熱シート（２）が、浴槽本体（１）に直貼りされる断熱材層（４）と、
断熱材層（４）の表面に一体に積層されて、浴槽本体（１）からの熱線を反射する反射層（５）とを含むことを特徴とする保温浴槽。
【請求項２】
断熱材層（４）が合成樹脂製の発泡体であり、
反射層（５）がアルミ箔であり、
反射層（５）が断熱材層（４）に接着されている請求項１記載の保温浴槽。
【請求項３】
反射層（５）の表面に、合成樹脂フィルムによる保護層（６）が一体に積層されている請求項２記載の保温浴槽。
【請求項４】
平板状に形成された多数枚の断熱シート（２）が、断熱材層（４）の裏面に塗布形成された粘着剤層（７）で、浴槽本体（１）の外面に隙間なく突き合わせた状態で貼り付けられている請求項３記載の保温浴槽。
【考案の詳細な説明】
【技術分野】
【０００１】
本考案は、浴槽に張った湯を冷めにくくするため、浴槽本体の外面に断熱シートを配した保温浴槽に関する。
【背景技術】
【０００２】
この種の保温浴槽において、浴槽本体の外面に断熱材（保温材）を貼り付けることは、特許文献１、２に公知である。但し、ここでの断熱材の具体的構成は明らかでない。
【０００３】
先の断熱材が単に合成樹脂製の発泡体からなる場合、対流熱は遮断できるであろうが、十分な厚さがないと放射熱（熱線）を透してしまい、保温性を良好に確保できない。
【０００４】
この点、特許文献３では、浴槽の外側下面に配される防水パンに、浴槽本体からの熱線を反射させるための反射層を形成することが開示されている。
【０００５】
【特許文献１】特開２００２−２６３０２１号公報（段落番号０００７、図１）
【特許文献２】特開平９−２８５９９号公報（段落番号０００５、図４）
【特許文献３】特開２００５−２７３８号公報（段落番号００７９）
【考案の開示】
【考案が解決しようとする課題】
【０００６】
しかし、特許文献３では、浴槽本体の外面に熱線反射層が直接に配されている訳ではないので、保温性が不十分である。特許文献３での熱線反射層としては、具体的にはアルミ箔を使用しているが、アルミ箔は破れやすいので、これを浴槽本体に直付けするには一工夫を要する。
【０００７】
本考案の目的は、浴槽本体の外面に直貼りする保温用の断熱シートの断面構造に改良を加え、浴槽本体からの熱線をも確実に遮断でき、保温性能に優れる保温浴槽を提供するにある。本考案の目的は、断熱シートの低コスト化、耐久性、貼り付け作業の容易性に優れた保温浴槽を提供するにある。
【課題を解決するための手段】
【０００８】
請求項１記載の本考案は、浴槽本体１の外面に保温用の断熱シート２が配された保温浴槽において、断熱シート２が、浴槽本体１に直貼りされる断熱材層４と、断熱材層４の表面に一体に積層されて、浴槽本体１からの熱線を反射する反射層５とを含むことを特徴とする。
【０００９】
請求項２記載の本考案に係る保温浴槽は、断熱シート２の断熱材層４がポリエチレン、ポリプロピレンなどの合成樹脂製の発泡体であり、反射層５がアルミ箔であり、断熱材層４に反射層５が接着されている。
【００１０】
請求項３記載の本考案に係る保温浴槽では、反射層５の表面に、ポリエチレン、ポリプロピレンなどの合成樹脂フィルムによる保護層６が一体に積層されている。
【００１１】
請求項４記載の本考案に係る保温浴槽は、平板状に形成された多数枚の断熱シート２が、断熱材層４の裏面に塗布形成された粘着剤層７で、浴槽本体１の外面に隙間なく突き合わせた状態で貼り付けられている。このとき、断熱シート２は浴槽本体１の外周側面および底面の全体にわたって貼り付けることが好ましい。
【考案の効果】
【００１２】
請求項１記載の本案保温浴槽によれば、浴槽本体１の外面に直貼りされる断熱シート２が、断熱材層４と反射層５とを含むので、浴槽本体１からの対流熱は断熱材層４で直接遮断し、熱線は反射層５で反射させることができ、高い保温効果が得られる。熱線の放射を遮断するために、断熱材層４を分厚くする必要はないので、断熱シート２これ自体の生産コストを低減できる。
【００１３】
請求項２記載の本案保温浴槽によれば、断熱シート２の断熱材層４を合成樹脂製の発泡体としたので、良好な断熱性を付与しながら軽量化を図れる。断熱材層４の外表面にアルミ箔の反射層５を一体に積層してあるので、この点でも浴槽本体１に対する断熱シート２の直貼り作業が手軽に行える。
【００１４】
請求項３記載の本考案によれば、請求項２記載の保温浴槽において、反射層５の表面に合成樹脂フィルムの保護層６が一体に積層形成されているので、この保護層６で先の反射層５の長期使用時の腐食や、貼り付け作業時などの反射層５の損傷をよく防止できる。
【００１５】
請求項４記載の本考案によれば、請求項３記載の保温浴槽において、断熱シート２が多数枚に分割されてピース化されているので、浴槽本体１のコーナー部分などの凸曲面などにも断熱シート２を変形させながら浴槽本体１の外面全体に断熱シート２を能率良く貼り付けるに有利である。
【考案を実施するための最良の形態】
【００１６】
図１および図３において、符号１は本考案が対象とする浴槽本体を示す。浴槽本体１の外面全体、すなわち前後左右の外周側面および底面に断熱シート２が直貼りされる。
【００１７】
図２および図３において断熱シート２は、合成樹脂製の発泡体からなる断熱材層４と、断熱材層４の表面に一体に接着された反射層５と、反射層５の表面に一体に接着された合成樹脂フィルムの保護層６と、断熱材層４の内側表面に塗布形成された粘着剤層７と、粘着剤層７を被覆する剥離紙８とを含む。
【００１８】
断熱材層４には１０mm厚の発泡ポリエチレンを使用し、反射層５には２０μｍ厚のアルミ箔を使用し、保護層５には１０μｍ厚のポリエチレンフィルムを使用した。
【００１９】
平板状に形成した断熱シート２は、浴槽本体１に貼り付けやすいように所定の形状および大きさに裁断されている。分割ピースとした多数枚の断熱シート２は、それぞれから剥離紙８を剥がして粘着剤層７を介して浴槽本体１の外面に隙間なく突き合わせて貼り付ける。断熱シート２の厚みは、必要最小限に設定してあるので、弾性変形が可能であり、浴槽本体１の湾曲コーナー部にもよく対応できる。
【００２０】
なお、反射層５の耐久性をより高めるため、反射層５の裏面にガラス繊維を配しておいてもよい。請求項１記載の本考案において、反射層５として合成樹脂フィルムによる担持体にアルミを蒸着してもよい
【図面の簡単な説明】
【００２１】
【図１】本考案に係る保温浴槽の斜視図
【図２】断熱シートの一部を拡大して示す斜視図
【図３】本考案に係る保温浴槽の縦断面図
【符号の説明】
【００２２】
１  浴槽本体
２  断熱シート
４  断熱材層
５  反射層
６  保護層
７  粘着剤層
【図１】
0003116669.tif 000003
【図２】
0003116669.tif 000004
【図３】
0003116669.tif 000005